(57)【要約】【目的】見た目が華やかで、ボタンの掛け違いもなくすことのできるテープ付きファスナを提供する。【構成】合成樹脂製係合部材（２，４）の複数個を所定間隔で生地テープに成形固定したテープ（３，５）である。各テープの各係合部材はベース（２１，４１）と係合部（２２，４２）からなり、各テープの各ベースの形状は少なくとも２種類ある。好ましくは、前記各係合部（２２，４２）のサイズ又は構造について複数用意しておき、各ベースの形状が同じもののときだけに雌雄テープが係合可能としている。【選択図】　図１
2004121364.tif 000002
【特許請求の範囲】
【請求項１】
合成樹脂製係合部材（２，４）の複数個を所定間隔で生地テープに成形固定したテープ（３，５）であって、各テープの各係合部材はベース（２１，４１）と係合部（２２，４２）からなるものにおいて、
各テープ（３，５）の各ベース（２１，４１）の形状が少なくとも２種類あることを特徴とするテープ付きファスナ。
【請求項２】
前記テープが合成樹脂製雄側係合部材（２）の複数個を所定間隔で生地テープに成形固定した雄側テープ（３）である請求項１記載のテープ付きファスナ。
【請求項３】
前記テープが合成樹脂製雌側係合部材（４）の複数個を所定間隔で生地テープに成形固定した雌側テープ（５）である請求項１記載のテープ付きファスナ。
【請求項４】
各テープ（３，５）の各ベース（２１，４１）の前記少なくとも２種類の形状に関して、同じ形状のもの同士が連続しないように配列されている請求項１ないし３のいずれかに記載のテープ付きファスナ。
【請求項５】
請求項２記載の雄側テープ（３）と、請求項３記載の雌側テープ（５）からなる一対のテープ付きファスナにおいて、
前記各係合部（２２，４２）のサイズ又は構造は各ベース（２１，４１）の形状が異なるもの同士は異なるものとしておき、各ベース（２１，４１）の形状が同じもの同士のときだけに雌雄テープ（３，５）が係合可能としたことを特徴とするテープ付きファスナ。
【発明の詳細な説明】
【０００１】
【発明の属する技術分野】
本発明はテープ付きスナップファスナに関する。
【０００２】
【従来の技術】
本出願人は、以下のようなテープ付きスナップファスナを開発し、出願してきた。
（１）特開平１０−３３２１０号
（２）特開平１０−３３２１１号
（３）特開２０００−２７０９０６
（４）特開２００１−８７１１
（５）特開２００１−７８８０７
（６）特開２００１−６４５１５
（７）特開２００１−１４９１１７
（８）特開２００２−３１８
（９）特開２００２−１２５７１９
（１０）特開２００２−１２５７２０
【０００３】
上記（１）−（１０）のテープ付きスナップファスナは、雄係合部材を有する雄側テープと、雌係合部材を有する雌側テープからなる。それぞれの１本のテープにおいて、雄係合部材は複数個取り付けられるが形状は１種類であり、雌係合部材も複数個取り付けられるが形状は１種類である。そのため、１本のテープに関していえば同じ形の係合部材が整然と並ぶことになる。
【０００４】
【発明が解決しようとする課題】
大きな不都合という訳ではないが、１種類の係合部材では意匠的におもしろくない。特にベビー服などでは華やかさや彩りがほしいのにそれにも十分応えられない。
【０００５】
また、このファスナをシャツなどの開閉部止め具に使用したとき、係合部材（ボタン）が同じ形であるため、掛け違いをすることがある。晴眼者でもそうであるから、視覚障害者ではなおさらであろう。
【０００６】
本発明では、１本のファスナテープに複数個設けられている係合部材（ボタン）について、その形状を少なくとも２種類とし、さらに必要な場合は係合部も少なくとも２種類として、それにより上記問題を解決することを目的とする。
【０００７】
【課題を解決するための手段】
本発明のテープ付きファスナは、合成樹脂製係合部材の複数個を所定間隔で生地テープに成形固定したテープであって、各テープの各係合部材はベースと係合部からなるものにおいて、各テープの各ベースの形状が少なくとも２種類あることを特徴とする。
【０００８】
【発明の実施の態様】
各ベースの形状が少なくとも２種類あるテープは、雄係合部材を有する雄側テープと、雌係合部材を有する雌側テープの両方であることが好ましいが、どちらか片方でもよい。後者の場合、残った片方は従来のように１種類の形状しかないものとなろう。
【０００９】
係合部材における係合部は、どのようなものでもよい。通常は雄側係合突起と雌側受容部からなるであろう。それぞれの形状について、上記従来技術（１）−（１０）はさまざまな変形例を開示している。
【００１０】
本発明においては係合部材におけるベースを２種類以上としたことに特徴がある。形状としては、三角形、四角形、五角形などの多角形、円形、楕円形、星形、花びら形、不定形、等々を組み合わせればよく、どのような組合せであってもよい。本発明の目的に鑑み、各ベースの２種類以上の形状に関して、同じ形状のもの同士が連続しないように配列するのが好ましい。
【００１１】
好ましくは、一対となる雄側テープと雌側テープの両方の係合部は２種類以上のベース形状を有するものとし、さらに異なるベース形状のものは係合部のサイズ又は構造も異なるものとする。その結果、各ベースの形状が同じもののときだけに雌雄係合部が係合可能となる。このようにしておくことにより、同じ形状を有する係合部材同士が係合可能であることが誰にでも分かる。幼児や知的障害者でも同一性の認識は可能であることが多いし、視覚障害者であっても手で触れることにより分かる。
【００１２】
【実施例】
以下、添付の図面に基づいて、本発明の実施例を説明する。
【００１３】
＜第１実施例＞
図１は本発明第１実施例に係るテープ付きファスナ１を接合面側から見た平面図であり、（ａ）は雌側係合部材４を有する雌側テープ５、（ｂ）は雄側係合部材２を有する雄側テープ３である。各部材の反対側は図示していないが、やはりそれぞれほぼ同一の外観を有する。
【００１４】
図２（ａ）は雄側係合部材２の平面図、図２（ｂ）は断面図である。生地テープ３を鋏んだ状態のベース２１から係合用突起２２が起立している。係合用突起２２は、中央凹部２４と先端部周囲の係合用膨出縁２３を有する。
【００１５】
ベース２１の形状は図２（ａ）では三角形である。しかし、図１に示すように１本の生地テープとしてみたときには、ベース２１の形状はさまざまである。図１では、上から三角形、星形、四角形、三角形となっている。
【００１６】
この雄部材２を成形するには、ファスナ成形用空間を形成した上下金型（図示せず）間に、溶融樹脂が成形圧力によって通過浸透する粗さの生地テープ３を配設し、係合突起２２内側に位置する孔部２４の生地テープを前記上下金型で挟み込み固定し、その後、合成樹脂を前記成形空間内に射出する。射出成形時に射出圧力でテープ３がよじれないように、ベース２１の周辺部を形成する上下金型には数カ所ピン（図示せず）を設けてテープ３を押さえつける。そのため、ベースにはそのピンの相補形状の孔２５が形成されている。
【００１７】
このようにして、生地テープ３両面に形成される雄部材の表面側と裏面側とが生地テープ３を透過する合成樹脂によって一体化される。テープ生地３としては、溶融されることなく溶融樹脂が透過する生地であることが必要で、織物でも編物でもよく、例えば木綿生地、混紡生地等を採用することができる。合成樹脂としては、熱可塑性樹脂、例えばポリアセタール溶融樹脂を使用することができる。
【００１８】
図３（ａ）は雌側係合部材４の平面図であり，図３（ｂ）は断面図である。生地テープ５を鋏んだ状態のベース４１の中に係合用くぼみ４２が形成されている。係合用くぼみ４２はその開口部内側に係合縁４３を有する。
【００１９】
ベース４１の形状は図３（ａ）では三角形である。しかし、図１に示すように１本の生地テープとしてみたときには、ベース４１の形状はさまざまである。図１では、上から三角形、星形、四角形、三角形となっている。
【００２０】
この雌部材の成型方法は雄部材６のそれとほぼ同様であるので、詳細な説明を省略する。
【００２１】
雄側係合部材２と雌側係合部材４を係合させた状態の断面を図４に示す。
【００２２】
＜第２実施例＞
作図上の制約のため図面にすると第２実施例も第１実施例と実質的に変わらないので、第１実施例と同じ図面及び同じ符号で説明する。第２実施例が第１実施例と異なるのは以下の点である。特に指摘しない点は第１実施例と同じである。
【００２３】
雄側テープ３に関して、係合部材２のベース２１の形状が複数あるだけでなく、係合用突起２２についても、サイズ又は構造を変えたものが複数用意されている。そして、ある特定形状のベース２１のときは、必ず特定サイズ又は構造の係合用突起２２が得られるようにしてある。
【００２４】
雌側テープ５に関しても、係合部材４のベース４１の形状が複数あるだけでなく、係合用くぼみ４２についても、サイズ又は構造を変えたものが複数用意されている。そして、ある特定形状のベース４１のときは、必ず特定サイズ又は構造の係合用くぼみ４２が得られるようにしてある。
【００２５】
さらに、雌雄係合部材２，４の各ベース２１，４１の形状が同じもの（例えば、図２，３に示す三角形）のときだけに各係合部２２，４２が一致し、雌雄テープ３，５が係合可能としてある。それ以外のもの同士（例えば、三角形と星形）では、各係合部が一致せず係合は不可能としてある。
【００２６】
【発明の効果】
本発明によれば、２種類以上の形状を有するボタンが得られるので、見た目に華やかな印象を与える。そのため、特にベビー服として適当である。
【００２７】
また、本発明によればボタンの掛け違いがなくなるという効果が得られる。同じ形状を有する係合部材同士を選択するのは幼児や知的障害者でも可能であることが多いし、視覚障害者であっても手で触れることにより分かるからである。
【００２８】
さらに、第２実施例の場合、ベースの形状が同じもののときだけに各係合部が一致し、雌雄テープが係合可能となるので、単に視覚上の効果というではなく、物理的にボタンの掛け違いがなくなるという特別の効果が得られる。
【図面の簡単な説明】
【図１】本発明第１，第２実施例に係るテープ付きファスナ１を接合面側から見た平面図であり、（ａ）は雌側係合テープ５、（ｂ）は雄側係合テープ３である。
【図２】（ａ）は雄側係合部材２の平面図、（ｂ）は断面図である。
【図３】（ａ）は雌側係合部材４の平面図であり，（ｂ）は断面図である。
【図４】雄係合部材２と雌係合部材４を係合させた状態の断面図である。
【符号の説明】
１　　　　一対のスナップファスナ
２　　　　雄側係合部材
２１　　雄側ベース
２２　　係合突起
２４　　凹部
３　　　　雄側テープ
４　　　　雌側係合部材
４１　　雌側ベース
４２　係合用くぼみ
５　　　　雌側テープ
【図１】
2004121364.tif 000003
【図２】
2004121364.tif 000004
【図３】
2004121364.tif 000005
【図４】
2004121364.tif 000006